(57)【要約】  乗馬用途向けに設計されたヘルメットを含め種々の保護ヘルメットが、本願明細書に記載される。一実施形態において、乗馬用ヘルメット（１）は、前部シェル（２）および後部シェル（３）を含む。２つの形態を有するヘルメットを提供するために、シェル（３）は、シェル（２）に対して移動可能である。第１の形態は、ヘルメット内部に人間の頭部（４）を入れるため、またはヘルメットから人間の頭部（４）を外すためにヘルメットが構成される開放形態である。第２の形態は、シェル（３）が、ヘルメット（１）内部に頭部（４）を安全に収容するために、シェル（２）に着脱可能に固締するように係合される閉鎖形態である。
2009516779.tif 000002
【特許請求の範囲】
【請求項１】
前部シェルと、
前記前部シェルに対して移動可能な後部シェルと、を含む保護ヘルメットであって、
前記ヘルメット内部に頭部を入れるか、または前記ヘルメットから前記頭部を外すための開放形態と、
前記ヘルメット内部に前記頭部を安全に収容するために、前記後部シェルが前記前部シェルに着脱可能に固締するように係合される閉鎖形態と、を提供する、保護ヘルメット。
【請求項２】
前記前部シェルは、前記後部シェルの第２の縁と相補的に係合可能な第１の縁を含む、請求項１に記載のヘルメット。
【請求項３】
前記第１の縁および前記第２の縁は、実質的に前記縁の長さに沿って延在するそれぞれの相補的な相互係合配置構成を含み、当該配置構成は、前記ヘルメットが前記閉鎖形態にあるときに、前記後部シェルに対して前記前部シェルを実質的に横方向に位置付けるように、互いに固締して係合される、請求項２に記載のヘルメット。
【請求項４】
前記相互係合配置構成は、前記第１の縁および前記第２の縁の断面の輪郭によって画定される、請求項３に記載のヘルメット。
【請求項５】
前記第１の縁および前記第２の縁の一方は、前記相補的な配置構成の一方を画定するためにビード付きの周縁リップを含み、他方は、前記相補的な配置構成の他方を画定するために、前記リップを受け入れるための凹部周縁チャネルを含む、請求項４に記載のヘルメット。
【請求項６】
前記頭部の額領域と係合するための前記前部シェルにおける第１のフィッティング区域と、
前記頭部の下顎領域と係合するための第２のフィッティング区域と、
ヘルメットが閉鎖形態にあるときに前記頭部の後部領域と係合するための前記後部シェルにおける第３のフィッティング区域と、を含み、前記ヘルメット内部で前記頭部を安全に収容するための３区域フィッティングシステムを提供する、請求項１に記載のヘルメット。
【請求項７】
前記第３のフィッティング区域は、前記下顎領域をカップ状に取り囲んで確保するための調整可能な下顎カップに設けられる、請求項６に記載のヘルメット。
【請求項８】
前記前部シェルおよび前記後部シェルは、多点固締システムによって固締するように係合可能である請求項１に記載のヘルメット。
【請求項９】
前記多点固締システムは、上部背部連結部および２つの下部側部連結部を含む、請求項８に記載のヘルメット。
【請求項１０】
前記上部背部連結部は、前記閉鎖形態と前記開放形態との間の回転で前記後部シェルが前記前部シェルに蝶着される蝶番を含む、請求項９に記載のヘルメット。
【請求項１１】
各下部側部連結部は、前記前部シェルおよび前記後部シェルの隣接するコネクタ領域の間の選択可能な近接位置を指定するために、調整可能なコネクタ機構を含む、請求項１０に記載のヘルメット。
【請求項１２】
前記コネクタ機構は、相補的な取り付け部に対して、選択的に着脱可能に固締するように係合可能な延出部材を含む、請求項１１に記載のヘルメット。
【請求項１３】
前記前部シェルは前記延出部材を含み、前記後部シェルは前記取り付け部を含む、請求項１２に記載のヘルメット。
【請求項１４】
前記延出部材は、前記取り付け部を段階的に進んで係合することによって末尾部分を定め、前記末尾部分を受け入れて隠すために、前記後部シェルにトンネルが設けられる請求項１２に記載のヘルメット。
【請求項１５】
前記延出部材は、前記シェルの蝶着回転時に前記取り付け部の中にとどまるように、前記前部シェルに対して回転可能である、請求項１２に記載のヘルメット。
【請求項１６】
前記取り付け部は、前記延出部材の可能な通路が一方向である固締形態および前記延出部材の可能な通路が双方向である非固締形態から移動可能である、請求項１２に記載のヘルメット。
【請求項１７】
両方の前記取り付け部は、前記閉鎖形態から前記開放形態に移動するために、前記ヘルメットに関して前記非固締形態でなければならない、請求項１６に記載のヘルメット。
【請求項１８】
前部シェルおよび
前記前部シェルに対して移動可能な後部シェルを含む乗馬用ヘルメットであって、
前記ヘルメット内部に頭部を入れるか、または前記ヘルメットから前記頭部を外すための開放形態および前記ヘルメット内部に前記頭部を安全に収容するために、前記後部シェルが、前記前部シェルに着脱可能に固締するように係合される閉鎖形態を提供する、乗馬用ヘルメット。
【発明の詳細な説明】
【技術分野】
【０００１】
本発明は、保護ヘルメットに関する。
本発明は、主に競馬などの乗馬行為において用いるために開発されており、その用途に特に関連して本願明細書に記載される。しかし、本発明は、そのような使用分野に限定されるわけではなく、一般に、他の目的のための保護ヘルメットとして適用可能であることは十分に認識されよう。
【背景技術】
【０００２】
明細書の全体にわたって従来技術に関する任意の説明は、そのような従来技術が公知であり、当業者における共通の一般的な知識の一部を形成しているという容認として考えるべきではない。
【０００３】
通常、乗馬行為向けの周知の保護ヘルメットは、顎紐によって使用者の頭部に固定される保護シェルからなる。これらのヘルメットは、頭部の最も重要な領域を覆うように設計されているが、下顎、上顎および頬などの保護されていない領域が残る。他の目的のために一般に用いられるヘルメットは、これらの重要でない領域まで相当の突出部を提供するが、乗馬行為用には一般に適していない。このことは、任意の所与のスポーツのために、ヘルメットの安全性規格を設定するための独立の機関にとっては通常のことである。たとえば、自転車用ヘルメットと比べると、乗馬用ヘルメットに適用される異なる規格は通常、他のヘルメットを乗馬用に適していないものとする。さらに、代替保護ヘルメットの重量および大きさは、競馬用には許容可能ではないことが多い。
【０００４】
乗馬用の場合には、保護ヘルメットは通常、少なくとも理論的には馬のひづめからの衝撃の影響を緩和する特定の偏向（ｄｅｆｌｅｃｔｉｏｎ）特性を必要とする。基礎を成す根拠は、適切な角度でひずめからの衝撃を偏向させることによって、衝撃の大部分が着用者の頭部から遠い方に向けられる。偏向要件は、乗馬用ヘルメットの安全性規格、たとえば、オーストラリアおよびニュージーランドのＡＳ／ＮＺ３８３８規格に書かれていることが多い。
【０００５】
従来のヘルメットに用いられている周知の顎紐システムは、決して理想ではない。たとえば、ヘルメットは、衝撃中、頭部との意図される配置から移動されやすい。この位置ずれは、たとえば、こめかみ領域が露出されている場合には、使用者の怪我の危険性を増大させることが周知である。さらに、顎紐は、切れることも予想される。これは、さらに不都合な位置決めを生じる結果をもたらし、または実際には、ヘルメットの除去を意図せずもたらす結果となる。これらの顎紐の欠陥は、乗馬用ヘルメットのみならず、多数の他の周知の保護ヘルメットに当てはまる。
【発明の開示】
【発明が解決しようとする課題】
【０００６】
本発明の目的は、従来技術の欠点の少なくとも１つを克服ないしは改善するか、または有用な代替品を提供することにある。
【課題を解決するための手段】
【０００７】
本発明の第１の態様は、前部シェルおよび前部シェルに対して移動可能な後部シェルを含み、ヘルメット内部に頭部を入れるか、またはヘルメットから頭部を外すための開放形態と、ヘルメット内部に頭部を安全に収容するために、後部シェルが前部シェルに着脱可能に固締するように係合される閉鎖形態とを提供する乗馬用ヘルメットである。
【０００８】
前部シェルは、後部シェルの第２の縁と相補的に係合可能な第１の縁を備える。さら第１の縁および第２の縁は、それぞれの相補的な相互係合配置構成を含む。これらの配置構成は、実質的に縁の長さに沿って延在する。好ましい実施形態において、これらの配置構成は、ヘルメットが閉鎖形態にあるときに互いに係合されており、後部シェルに対して前部シェルを実質的に横方向に配置している。前記配置構成は、第１の縁および第２の縁の断面の輪郭によって画定される。好ましくは、一方の縁は、相補的な配置構成の一方を画定するためにビード付きの周縁リップを含み、他方の縁は、他方の相補的な配置構成を画定するためにリップを収容する凹部周縁チャネルを含む。一実施形態において、第２の縁は、周縁リップを含む。第１の縁および第２の縁は、ヘルメットの実質的に隣接する段状の領域で終端する。
【０００９】
好ましくは、ヘルメットは、段状の領域によって連結される上部部分および下部部分を含む。さらに好ましくは、上部部分および下部部分はそれぞれ、前部シェルおよび後部シェルの両方で部分的に画定される。ヘルメットは、ヘルメットの外側を実質的に覆う最も外側の面を画定する外被層を含む。好ましくは、上部部分は、周知の乗馬用ヘルメットに実質的に類似する球状である。
【００１０】
外被層は、所定の偏向角を実質的に提供する外面を含む。この偏向角は３０°から６０°である。好ましい実施形態において、この角度は約４５°である。
【００１１】
外被層は好ましくは、ケブラー、グラファイト、炭素繊維ガラス、樹脂、またはプラスチックのいずれか１つまたは複数を含む材料から形成される。
【００１２】
いくつかの実施形態において、外被層は手製である。他の実施形態において、外被層は射出成形される。さらなる実施形態の中で、種々の製作技術が用いられる。
【００１３】
前部シェルは、頭部の額領域と係合するための第１のフィッティング区域および頭部の下顎領域と係合するための第２のフィッティング区域を含む。下顎領域との係合は、少なくとも２つの軸を中心とした移動を実質的に防止するために、下顎をカップ状に取り囲むことを含む。好ましくは、第１のフィッティング区域は、上部部分の上に配置され、第２のフィッティング区域は、下部部分の上に配置される。いくつかの実施形態において、第２のフィッティング区域は、第１のフィッティング区域に対して移動可能である。一実施形態において、第２のフィッティング区域は、調整経路に沿って摺動可能に移動するフィッティング部材に設けられる。好ましくは、フィッティング部材は、調整経路上の複数の配置で着脱可能に固締するように係合可能であり、それによって、第２のフィッティング区域のための複数の選択可能な位置を提供し、これにより個別の使用者に合わせたフィット性を提供する。
【００１４】
好ましくは、後部シェルは、ヘルメットが閉鎖形態にあるときに、頭部の後部領域と係合するための第３のフィッティング区域を含み、ヘルメットの内部に頭部を安全に収容するための３区域フィッティングシステムを提供する。さらに好ましくは、第２のフィッティング区域は、頭部に対してヘルメットを軸方向に固定するように顎領域に適合する。好ましくは、第４のフィッティング区域は、頭部に対してヘルメットを横断方向に固定するために、頭部の各側の領域と係合するためのヘルメットの各側で本質的に画定される。
【００１５】
好ましくは、前部シェルおよび後部シェルは、多点固締システムによって固締するように係合可能である。好ましくは、これは、３点固締システムである。さらに好ましくは、この固締システムは、上部背部連結部および２つの下部側部連結部を含む。上部背部連結部は、後部シェルが前部シェルに蝶着されるように蝶番を含む。さらに好ましくは、後部シェルは、閉鎖形態から開放形態にヘルメットを移動するために、この連結部を中心にして回転する。
【００１６】
好ましくは、各下部側部連結部は、前部シェルおよび後部シェルの隣接するコネクタ領域の間で選択可能な近接位置を指定するために調整可能なコネクタ機構を含む。好ましくは、この機構は、相補的な取り付け部と選択的に着脱可能に固締するように係合可能な延出部材を含む。好ましくは、前部シェルはこの部材を含み、後部シェルは取り付け部を含む。前記延出部材は末尾部分を画定するために、係合時に、取り付け部を通って段階的に延在する。好ましくは、前記部材は、シェルの蝶番による回転時に取り付け部の中にとどまるように前部シェルに対して回転可能である。
【００１７】
好ましくは、前記延出部材ノ末尾部分を入れて隠すために、トンネルが設けられる。いくつかの実施形態において、トンネルは、後部シェルに取り付けられ、後部シェルに関係なく形成される内部シェルによって画定される。
【００１８】
好ましくは、取り付け部は、一方向における前記延出部材の通過を可能にする固締形態および双方向における前記延出部材の通過を可能にする非固締形態から移動可能である。好ましくは、両方の取り付け部は、閉鎖形態から開放形態に移動するために、ヘルメットに関して非固締形態でなければならない。一実施形態において、取り付け部は、結合ラッチであり、延出部材は、相補的な結合ストラップである。
【００１９】
好ましくは、前部シェルは、ヘルメットの外側まで見ることを容易にするためにアパーチャを含む。このアパーチャは、ヘルメットの中心軸を中心にして約２４０°延在する。さらに好ましくは、このアパーチャは、ビード付きの周縁部によって画定される。
【００２０】
ヘルメットは、開放形態にあるときに、使用者の頭部を入れるための開口部を含む。さらに好ましくは、前部シェルおよび後部シェルの相対的な移動は、この開口部のサイズを調整する。好ましくは、この開口部は、前部シェルの第３の縁および後部シェルの第４の縁によって画定される。これらの縁は、ビード付きである。
【００２１】
好ましくは、後部シェルは、頭部を提供する本体で画定される後部の筋肉領域と係合するための下部支持縁を含む。
【００２２】
好ましくは、前部シェルは、後部シェルに蝶着される。さらに好ましくは、この蝶着はヘルメットの背部位置に設けられる蝶番組立体によって提供される。蝶番組立体は、ヘルメットが閉鎖形態にあるときにヘルメット面と実質的に輪郭が合うように形成される。好ましい実施形態において、蝶番組立体は、前部シェルおよび後部シェルからそれぞれ延在するピン受け入れ構成を含む。好ましくは、これらの構成は、それぞれのシェルから一体に形成される。好ましくは、ピン受け入れ構成は、共通の蝶番ピンを受け入れるためのそれぞれの同軸に位置決め可能なアパーチャを含む。好ましくは、各ピン受け入れ構成は、それぞれのシェルの隣接する領域に対して実質的に一定の輪郭で延在する。
【００２３】
好ましくは、各シェルは、外部外被層および内部裏張り層を含む。内部裏張り層は、前部シェルの前部裏張り層および後部シェルの後部裏張り層を含む。また、好ましくは、内部裏張り層は、弾性詰め物材料を含む。
【００２４】
各裏張り層は、外側副層および内側副層を含む。好ましくは、外側副層は、弾性材料から形成される。さらに好ましくは、外側副層は、裏張り層を外被層に取り付けられる。
【００２５】
好ましくは、内側副層は、外側副層から選択的に取り外し可能である。好ましくは、裏張り層は、フォーム注入可能である。いくつかの実施形態において、フォーム注入を容易にするために、フォームを入れるための空洞は、内側副層および外側副層の中間に画定される。好ましくは、１つまたは複数の弾性スペーサは、内側副層および外側副層の間に延在し、フォーム注入前にヘルメットが頭部の中心に配置可能となる。通常、外被層および裏張り層は、それぞれのアパーチャを含み、フォームがこれらの層を介して空洞の中に注入可能である。
【００２６】
好ましくは、バイザ組立体がヘルメットに取り付け可能である。さらに好ましくは、このバイザ組立体は、前部シェルに取り付け可能である。バイザ組立体は、前部シェルに着脱可能に取り付けられる。
【００２７】
好ましい実施形態において、バイザは、検知装置を含む。いくつかの実施形態において、この装置はカメラを含む。さらに好ましくは、装置はまた、カメラによって提供された信号を送信するための送信器を含む。いくつかの実施形態において、装置は位置識別装置を含む。好ましくは、位置識別装置は、ＧＰＳなどの全世界測位技術を利用する。
【００２８】
本発明の第２の態様は、前部シェルおよび前部シェルに対して移動可能な後部シェルを含み、ヘルメット内部に頭部を入れるか、またはヘルメットから頭部を外すための開放形態および、ヘルメット内部に頭部を安全に収容するために後部シェルが、前部シェルに着脱可能に固締するように係合される閉鎖形態を有する保護ヘルメットである。
【００２９】
前部シェルは、後部シェルの第２の縁と相補的に係合可能な第１の縁を備える。さら第１の縁および第２の縁は、それぞれの相補的な相互係合配置構成を含む。これらの配置構成は、実質的に縁の長さに沿って延在する。好ましい実施形態において、これらの配置構成は、ヘルメットが閉鎖形態にあるときに互いに係合されており、後部シェルに対して前部シェルを実質的に横方向に配置している。前記配置構成は、第１の縁および第２の縁の断面の輪郭によって画定される。好ましくは、一方の縁は、相補的な配置構成の一方を画定するためにビード付きの周縁リップを含み、他方の縁は、他方の相補的な配置構成を画定するためにリップを収容する凹部周縁チャネルを含む。一実施形態において、第２の縁は、周縁リップを含む。第１の縁および第２の縁は、ヘルメットの実質的に隣接する段状の領域で終端する。
【００３０】
好ましくは、ヘルメットは、段状の領域によって連結される上部部分および下部部分を含む。さらに好ましくは、上部部分および下部部分はそれぞれ、前部シェルおよび後部シェルの両方で部分的に画定される。ヘルメットは、ヘルメットの外側を実質的に覆う最も外側の面を画定する外被層を含む。好ましくは、上部部分は、周知の乗馬用ヘルメットに実質的に類似する球状である。
【００３１】
外被層は、所定の偏向角を実質的に提供する外面を含む。この偏向角は３０°から６０°である。好ましい実施形態において、この角度は約４５°である。
【００３２】
外被層は好ましくは、ケブラー、グラファイト、炭素繊維ガラス、樹脂、またはプラスチックのいずれか１つまたは複数を含む材料から形成される。
【００３３】
いくつかの実施形態において、外被層は手製である。他の実施形態において、外被層は射出成形される。さらなる実施形態の中で、種々の製作技術が用いられる。
【００３４】
前部シェルは、頭部の額領域と係合するための第１のフィッティング区域および頭部の下顎領域と係合するための第２のフィッティング区域を含む。好ましくは、第１のフィッティング区域は、上部部分の上に配置され、第２のフィッティング区域は、下部部分の上に配置される。
【００３５】
好ましくは、後部シェルは、ヘルメットが閉鎖形態にあるときに、頭部の後部領域と係合するための第３のフィッティング区域を含み、ヘルメットの内部に頭部を安全に収容するための３区域フィッティングシステムを提供する。さらに好ましくは、第２のフィッティング区域は、頭部に対してヘルメットを軸方向に固定するように顎領域に適合する。好ましくは、第４のフィッティング区域は、頭部に対してヘルメットを横断方向に固定するために、頭部の各側の領域と係合するためのヘルメットの各側で本質的に画定される。
【００３６】
好ましくは、前部シェルおよび後部シェルは、多点固締システムによって固締するように係合可能である。好ましくは、これは、３点固締システムである。さらに好ましくは、この固締システムは、上部背部連結部および２つの下部側部連結部を含む。上部背部連結部は、後部シェルが前部シェルに蝶着されるように蝶番を含む。さらに好ましくは、後部シェルは、閉鎖形態から開放形態にヘルメットを移動するために、この連結部を中心にして回転する。
【００３７】
好ましくは、各下部側部連結部は、前部シェルおよび後部シェルの隣接するコネクタ領域の間で選択可能な近接位置を指定するために調整可能なコネクタ機構を含む。好ましくは、この機構は、相補的な取り付け部と選択的に着脱可能に固締するように係合可能な延出部材を含む。好ましくは、前部シェルはこの部材を含み、後部シェルは取り付け部を含む。前記延出部材は末尾部分を画定するために、係合時に、取り付け部を通って段階的に延在する。好ましくは、前記部材は、シェルの蝶番による回転時に取り付け部の中にとどまるように前部シェルに対して回転可能である。
【００３８】
好ましくは、前記延出部材ノ末尾部分を入れて隠すために、トンネルが設けられる。いくつかの実施形態において、トンネルは、後部シェルに取り付けられ、後部シェルに関係なく形成される内部シェルによって画定される。
【００３９】
好ましくは、取り付け部は、一方向における前記延出部材の通過を可能にする固締形態および双方向における前記延出部材の通過を可能にする非固締形態から移動可能である。好ましくは、両方の取り付け部は、閉鎖形態から開放形態に移動するために、ヘルメットに関して非固締形態でなければならない。一実施形態において、取り付け部は、結合ラッチであり、延出部材は、相補的な結合ストラップである。
【００４０】
好ましくは、前部シェルは、ヘルメットの外側まで見ることを容易にするためにアパーチャを含む。このアパーチャは、ヘルメットの中心軸を中心にして約２４０°延在する。さらに好ましくは、このアパーチャは、ビード付きの周縁部によって画定される。
【００４１】
ヘルメットは、開放形態にあるときに、使用者の頭部を入れるための開口部を含む。さらに好ましくは、前部シェルおよび後部シェルの相対的な移動は、この開口部のサイズを調整する。好ましくは、この開口部は、前部シェルの第３の縁および後部シェルの第４の縁によって画定される。これらの縁は、ビード付きである。
【００４２】
好ましくは、後部シェルは、頭部を提供する本体で画定される後部の筋肉領域と係合するための下部支持縁を含む。
【００４３】
好ましくは、前部シェルは、後部シェルに蝶着される。さらに好ましくは、この蝶着はヘルメットの背部位置に設けられる蝶番組立体によって提供される。蝶番組立体は、ヘルメットが閉鎖形態にあるときにヘルメット面と実質的に輪郭が合うように形成される。好ましい実施形態において、蝶番組立体は、前部シェルおよび後部シェルからそれぞれ延在するピン受け入れ構成を含む。好ましくは、これらの構成は、それぞれのシェルから一体に形成される。好ましくは、ピン受け入れ構成は、共通の蝶番ピンを受け入れるためのそれぞれの同軸に位置決め可能なアパーチャを含む。好ましくは、各ピン受け入れ構成は、それぞれのシェルの隣接する領域に対して実質的に一定の輪郭で延在する。
【００４４】
好ましくは、各シェルは、外部外被層および内部裏張り層を含む。内部裏張り層は、前部シェルの前部裏張り層および後部シェルの後部裏張り層を含む。また、好ましくは、内部裏張り層は、弾性詰め物材料を含む。
【００４５】
各裏張り層は、外側副層および内側副層を含む。好ましくは、外側副層は、弾性材料から形成される。さらに好ましくは、外側副層は、裏張り層を外被層に取り付けられる。
【００４６】
好ましくは、内側副層は、外側副層から選択的に取り外し可能である。好ましくは、裏張り層は、フォーム注入可能である。いくつかの実施形態において、フォーム注入を容易にするために、フォームを入れるための空洞は、内側副層および外側副層の中間に画定される。好ましくは、１つまたは複数の弾性スペーサは、内側副層および外側副層の間に延在し、フォーム注入前にヘルメットが頭部の中心に配置可能となる。通常、外被層および裏張り層は、それぞれのアパーチャを含み、フォームがこれらの層を介して空洞の中に注入可能である。
【００４７】
好ましくは、バイザ組立体がヘルメットに取り付け可能である。さらに好ましくは、このバイザ組立体は、前部シェルに取り付け可能である。バイザ組立体は、前部シェルに着脱可能に取り付けられる。
【００４８】
好ましい実施形態において、バイザは、検知装置を含む。いくつかの実施形態において、この装置はカメラを含む。さらに好ましくは、装置はまた、カメラによって提供された信号を送信するための送信器を含む。いくつかの実施形態において、装置は位置識別装置を含む。好ましくは、位置識別装置は、ＧＰＳなどの全世界測位技術を利用する。
【００４９】
本発明の第３の態様は、前部シェルと、前部シェルに対して移動可能な後部シェルと、を含み、ヘルメット内部に頭部を入れるか、またはヘルメットから頭部を外すための開放形態およびヘルメット内部に頭部を安全に収容するために、後部シェルが、前部シェルに着脱可能に固締するように係合される閉鎖形態を有するヘルメットを提供する騎手用ヘルメットである。
【００５０】
前部シェルは、後部シェルの第２の縁と相補的に係合可能な第１の縁を備える。さら第１の縁および第２の縁は、それぞれの相補的な相互係合配置構成を含む。これらの配置構成は、実質的に縁の長さに沿って延在する。好ましい実施形態において、これらの配置構成は、ヘルメットが閉鎖形態にあるときに互いに係合されており、後部シェルに対して前部シェルを実質的に横方向に配置している。前記配置構成は、第１の縁および第２の縁の断面の輪郭によって画定される。好ましくは、一方の縁は、相補的な配置構成の一方を画定するためにビード付きの周縁リップを含み、他方の縁は、他方の相補的な配置構成を画定するためにリップを収容する凹部周縁チャネルを含む。一実施形態において、第２の縁は、周縁リップを含む。第１の縁および第２の縁は、ヘルメットの実質的に隣接する段状の領域で終端する。
【００５１】
好ましくは、ヘルメットは、段状の領域によって連結される上部部分および下部部分を含む。さらに好ましくは、上部部分および下部部分はそれぞれ、前部シェルおよび後部シェルの両方で部分的に画定される。ヘルメットは、ヘルメットの外側を実質的に覆う最も外側の面を画定する外被層を含む。好ましくは、上部部分は、周知の乗馬用ヘルメットに実質的に類似する球状である。
【００５２】
外被層は、所定の偏向角を実質的に提供する外面を含む。この偏向角は３０°から６０°である。好ましい実施形態において、この角度は約４５°である。
【００５３】
外被層は好ましくは、ケブラー、グラファイト、炭素繊維ガラス、樹脂、またはプラスチックのいずれか１つまたは複数を含む材料から形成される。
【００５４】
いくつかの実施形態において、外被層は手製である。他の実施形態において、外被層は射出成形される。さらなる実施形態の中で、種々の製作技術が用いられる。
【００５５】
前部シェルは、頭部の額領域と係合するための第１のフィッティング区域および頭部の下顎領域と係合するための第２のフィッティング区域を含む。好ましくは、第１のフィッティング区域は、上部部分の上に配置され、第２のフィッティング区域は、下部部分の上に配置される。
【００５６】
好ましくは、後部シェルは、ヘルメットが閉鎖形態にあるときに、頭部の後部領域と係合するための第３のフィッティング区域を含み、ヘルメットの内部に頭部を安全に収容するための３区域フィッティングシステムを提供する。さらに好ましくは、第２のフィッティング区域は、頭部に対してヘルメットを軸方向に固定するように顎領域に適合する。好ましくは、第４のフィッティング区域は、頭部に対してヘルメットを横断方向に固定するために、頭部の各側の領域と係合するためのヘルメットの各側で本質的に画定される。
【００５７】
好ましくは、前部シェルおよび後部シェルは、多点固締システムによって固締するように係合可能である。好ましくは、これは、３点固締システムである。さらに好ましくは、この固締システムは、上部背部連結部および２つの下部側部連結部を含む。上部背部連結部は、後部シェルが前部シェルに蝶着されるように蝶番を含む。さらに好ましくは、後部シェルは、閉鎖形態から開放形態にヘルメットを移動するために、この連結部を中心にして回転する。
【００５８】
好ましくは、各下部側部連結部は、前部シェルおよび後部シェルの隣接するコネクタ領域の間で選択可能な近接位置を指定するために調整可能なコネクタ機構を含む。好ましくは、この機構は、相補的な取り付け部と選択的に着脱可能に固締するように係合可能な延出部材を含む。好ましくは、前部シェルはこの部材を含み、後部シェルは取り付け部を含む。前記延出部材は末尾部分を画定するために、係合時に、取り付け部を通って段階的に延在する。好ましくは、前記部材は、シェルの蝶番による回転時に取り付け部の中にとどまるように前部シェルに対して回転可能である。
【００５９】
好ましくは、前記延出部材ノ末尾部分を入れて隠すために、トンネルが設けられる。いくつかの実施形態において、トンネルは、後部シェルに取り付けられ、後部シェルに関係なく形成される内部シェルによって画定される。
【００６０】
好ましくは、取り付け部は、一方向における前記延出部材の通過を可能にする固締形態および双方向における前記延出部材の通過を可能にする非固締形態から移動可能である。好ましくは、両方の取り付け部は、閉鎖形態から開放形態に移動するために、ヘルメットに関して非固締形態でなければならない。一実施形態において、取り付け部は、結合ラッチであり、延出部材は、相補的な結合ストラップである。
【００６１】
好ましくは、前部シェルは、ヘルメットの外側まで見ることを容易にするためにアパーチャを含む。このアパーチャは、ヘルメットの中心軸を中心にして約２４０°延在する。さらに好ましくは、このアパーチャは、ビード付きの周縁部によって画定される。
【００６２】
ヘルメットは、開放形態にあるときに、使用者の頭部を入れるための開口部を含む。さらに好ましくは、前部シェルおよび後部シェルの相対的な移動は、この開口部のサイズを調整する。好ましくは、この開口部は、前部シェルの第３の縁および後部シェルの第４の縁によって画定される。これらの縁は、ビード付きである。
【００６３】
好ましくは、後部シェルは、頭部を提供する本体で画定される後部の筋肉領域と係合するための下部支持縁を含む。
【００６４】
好ましくは、前部シェルは、後部シェルに蝶着される。さらに好ましくは、この蝶着はヘルメットの背部位置に設けられる蝶番組立体によって提供される。蝶番組立体は、ヘルメットが閉鎖形態にあるときにヘルメット面と実質的に輪郭が合うように形成される。好ましい実施形態において、蝶番組立体は、前部シェルおよび後部シェルからそれぞれ延在するピン受け入れ構成を含む。好ましくは、これらの構成は、それぞれのシェルから一体に形成される。好ましくは、ピン受け入れ構成は、共通の蝶番ピンを受け入れるためのそれぞれの同軸に位置決め可能なアパーチャを含む。好ましくは、各ピン受け入れ構成は、それぞれのシェルの隣接する領域に対して実質的に一定の輪郭で延在する。
【００６５】
好ましくは、各シェルは、外部外被層および内部裏張り層を含む。内部裏張り層は、前部シェルの前部裏張り層および後部シェルの後部裏張り層を含む。また、好ましくは、内部裏張り層は、弾性詰め物材料を含む。
【００６６】
各裏張り層は、外側副層および内側副層を含む。好ましくは、外側副層は、弾性材料から形成される。さらに好ましくは、外側副層は、裏張り層を外被層に取り付けられる。
【００６７】
好ましくは、内側副層は、外側副層から選択的に取り外し可能である。好ましくは、裏張り層は、フォーム注入可能である。いくつかの実施形態において、フォーム注入を容易にするために、フォームを入れるための空洞は、内側副層および外側副層の中間に画定される。好ましくは、１つまたは複数の弾性スペーサは、内側副層および外側副層の間に延在し、フォーム注入前にヘルメットが頭部の中心に配置可能となる。通常、外被層および裏張り層は、それぞれのアパーチャを含み、フォームがこれらの層を介して空洞の中に注入可能である。
【００６８】
好ましくは、バイザ組立体がヘルメットに取り付け可能である。さらに好ましくは、このバイザ組立体は、前部シェルに取り付け可能である。バイザ組立体は、前部シェルに着脱可能に取り付けられる。
【００６９】
好ましい実施形態において、バイザは、検知装置を含む。いくつかの実施形態において、この装置はカメラを含む。さらに好ましくは、装置はまた、カメラによって提供された信号を送信するための送信器を含む。いくつかの実施形態において、装置は位置識別装置を含む。好ましくは、位置識別装置は、ＧＰＳなどの全世界測位技術を利用する。
【００７０】
本発明の第４の態様は、前部保護シェルと、前部保護シェルに対して移動可能な後部保護シェルとによってヘルメットを画定し、ヘルメット内部に頭部を入れる、または、ヘルメットから頭部を外すための開放形態と、ヘルメット内部に頭部を安全に収容するために、後部シェルが前部シェルに着脱可能に固締するように係合される閉鎖形態とを提供する、頭部を保護する方法である。
【００７１】
本発明の第５の態様は、前部シェルと、ヘルメットを画定するために前部シェルと着脱可能に固締するように係合可能な後部シェルと、を含む保護ヘルメットが提供される。
【００７２】
本発明の第６の態様は、騎手の経路を監視するためのシステムであって、騎手に取り付けられる位置特定デバイスと、位置特定デバイスからの信号を受信するためのインターフェイスと、騎手の経路の表示を提供するために信号に応答するプロセッサと、を含むシステムである。
【００７３】
好ましくは、前記位置特定デバイスはヘルメットに取り付けられる。さらに好ましくは、ヘルメットは、本発明の前述の態様のいずれか１のヘルメットである。
【００７４】
いくつかの実施形態において、前記位置特定デバイスはカメラであり、表示が可視である。好ましくは、カメラは連続画像フレームを表すカメラ信号を提供する。さらに好ましくは、前記位置特定デバイスはさらに、カメラ信号を受信し、この信号をリモートホストに提供する送信器を含む。いくつかの実施形態において、リモートホストはインターフェイスである。他の実施形態において、リモートホストは、インターフェイスと通信状態にある。場合によっては、リモートホストは、複数の地理的に離隔されたホストを含む。
【００７５】
いくつかの実施形態において、前記位置特定デバイスは、位置情報を表す信号を提供する。これにはＧＰＳ三角法を使用する。そのようないくつかの実施形態において、前記プロセッサは、馬および騎手の経路の近似を示す表示を提供する。
【００７６】
本発明のさらなる態様は、騎手の経路を監視するための方法であって、騎手に位置特定デバイスを取り付け、前記位置特定デバイスから信号を受信し、騎手の経路表示を提供するために信号に応答する、方法が提供される。
【００７７】
本発明の好ましい実施形態は以下に、添付図面を参照して例示として記載される。
【発明を実施するための最良の形態】
【００７８】
図面を参照すると、異なる図において、対応する特徴部は、対応する参照符号によって示されていることは十分に認識されよう。
図１は、乗馬用ヘルメット１を示している。ヘルメット１は、前部シェル２および後部シェル３を含む。２つの形態を有するヘルメットを提供するために、シェル３は、シェル１に対して移動可能である。これらのうち第１の形態は、図１に示される開放形態である。開放形態において、ヘルメットは、ヘルメット内部に人間の頭部４を入れるため、またはヘルメットから人間の頭部４を外すために構成される。第２の形態は、図２に示される閉鎖形態である。この閉鎖形態において、シェル３は、ヘルメット１内部に頭部４を安全に収容するために、シェル２に着脱可能に固締するように係合される。
【００７９】
本開示は、本発明の乗馬用途に特に関連しているが、これらは決して限定するものと見なすべきではないことは十分に認識されよう。他の実施形態において、ヘルメットは、他のスポーツなどの他の行為向けに用いられる。いくつかの実施形態において、ヘルメットは、特定の軍事用途に適している。関連業界の当業者は、ヘルメット１が他の用途向けにどのように改変または適合されるか、さらに本願明細書に記載される実施形態は、他の用途にも適していることを認識するであろう。
【００８０】
この開示において、ヘルメット１内部に「安全に収容されて」いる状態の頭部４は、ヘルメット１から取り外し可能ではない。好ましくは、それはまた、頭部４とヘルメット１との間で維持される配置構成のレベルを示している。この所定の配置構成は、ヘルメットが頭部に対して実質的に移動可能でないように維持される。これは、軸回転、横方向の移動および実際に実質的に任意の軸を中心としたシフトを含む。ヘルメット１から頭部４を取り外すためには、まず、ヘルメットを閉鎖形態から移動することが必要である。
【００８１】
シェル２およびシェル３以外には、ヘルメット１の２つの視覚的に区別可能な部分がある。これらの部分は、上部部分６および下部部分７である。これらは、別体および分離可能というわけでは決してなく、区別は一般に概念的なものである。すなわち、部分は、主に説明目的で用いられている。部分６および部分７はそれぞれ、シェル２およびシェル３の部分を含む。段状の領域２０が、上部部分６および下部部分７を連結する。ゴーグルまたは他のアイウェアを固定するためのストラップの保持を容易にするために、溝２１が、領域２０に設けられ、一般に領域２０の位置が特定される。図２１から図２３に示される実施形態などのいくつかの実施形態において、段状の領域２０はなく、したがって、部分６と部分７との間で滑らかに移行する。
【００８２】
ヘルメット１は、３区域フィッティングシステムを用いて、頭部４に取り付けられる。これは、ヘルメット１と、頭部４の３つの領域との間の当接係合を伴う。これらは、額領域１０、下顎領域１１および後部領域１２である。この３区域フィッティングは、図６に最もよく示されている。この図は、簡単な概略図のためにのみ設けられており、一定の比率ではない。ヘルメット１の多くの詳細な特徴部は、示されていない。
【００８３】
シェル２は、領域１０と係合するための第１のフィッティング区域１３を含む。この区域１３は、部分６で見られる。シェル２はまた、領域１１と係合するための第２のフィッティング区域１４を含む。フィッティング区域１４は、部分７の上に位置決めされる。領域１４は、頭部４の首によって一般に画定される軸に対してヘルメットを軸方向に固定するために、頭部４の顎領域に適合する。シェル３は、ヘルメット１が閉鎖形態にあるときに、領域１２と係合するための第３のフィッティング区域１５を含む。
【００８４】
本実施形態において、フィッティング区域は、外被層２５と内部裏張り層２６との間で圧縮するフォーム２４の形態である弾性材料によって提供される。適切なフォームまたは別の弾性材料は、当業者によって認識されよう。たとえば、いくつかの実施形態は、発泡スチロール（ＥＰＳ）などの安全ヘルメットに従来用いられている材料を利用する。
【００８５】
本実施形態において、フォーム２４は、３次元の態様において、その隣接する領域１０から１２に実質的に適合するように圧縮する。これらの３領域との同時係合が頭部４にヘルメット１の確実な係合を提供することは認識されよう。
【００８６】
いくつかの実施形態において、個別の使用者に合わせたフィット性を提供するために、頭部４の挿入後にフォーム２４が最初に注入される。そのような個別の使用者に合わせたフィット性によって、システムは本質的に、さらなるフィッティング区域を提供する。実際には、一般に、裏張り２６の内面全体が、それ相応にフィッティング区域である。このフォーム注入は、所与のヘルメットのために一度だけ実行され、用いられる特定の頭部４向けに個別の使用者に合わせたフィット性をそのヘルメットに提供する。フォーム注入については、さらに以下でさらに詳細に説明する。
【００８７】
個別の使用者に合わせないいくつかの実施形態の場合には、フォーム注入技術においてフォーム隣接領域１０から１２に特有の注意が払われて、適切なフィッティング区域が提供される。たとえば、取り外し可能な詰め物部分が、フィッティング区域でヘルメットの内側に挿入するために提供されるいくつかの実施形態において、これらの詰め物部分は複数のサイズで提供されて、個別の使用者に合わせたフィット性を可能にする。いくつかの実施形態において、これらの取り外し可能な詰め物部分がベルクロ（Velcro)または接着剤を用いて、ヘルメットの内面に取り付け可能である。いくつかの実施形態において、いくつかの自転車用ヘルメットにおいてよくあることだが、取り外し可能な詰め物部分は、取り付けさきのヘルメットの部分よりさらに容易に圧縮可能な材料から形成される。場合によっては、さらなるフィッティング区域が画定される。たとえば、頭部４の対向する側と係合するための特定の領域である。
【００８８】
個別の使用者に合わせたフォーム注入技術を利用しない実施形態において、別の技術が、フィッティング区域に可撓性を提供し、特定の人の頭部に適切なフィット性を提供するために、３つのフィッティング区域を適切に位置決めすることが困難ではないように実現されることは十分に認識されよう。たとえば、いくつかの実施形態は、種々の頭部サイズに適合させるために圧縮可能な比較的弾性のフィッティング区域を提供し、いくつかの実施形態は、フィッティング区域の少なくとも１つの漸進的な移動を可能にする。
【００８９】
図２４および図２５は、フィッティング区域１４が特定の人の下顎領域１１と係合するため漸進的に移動可能である、個別の使用者に合わせたサイズ調整を可能にする実施形態を示している。特に、フィッティング区域１１は、人の下顎をカップ状に取り囲み、その際、たとえば、２つ以上の軸を中心にした移動を制限するように整形される移動可能な下顎カップに設けられる。図２４および図２５は、後述される複数の代替の下顎カップ設計を示している。一般に、下顎カップは、取り外し可能かつ調整可能な構成部材であり、使用時に着用者の顎を保持してカップ状に取り囲む。本実施例において、下顎カップは、ぴったりとしたフィット性を提供するために下顎の前方移動を制限し、行為中、このぴったりとしたフィット性を保持するために下顎の垂直方向、水平方向および軸方向の移動もまた制限する。下顎カップは、ゴム、プラスチック、ポリカーボネートおよびＰＶＣ等から任意に形成される。各下顎カップは、使用者の下顎と係合するための第１の面と第２の面との間で圧縮する弾性材料を含む。この第２の面は、通常、取り外し可能かつ調整可能な態様で、外被層２５の近接部分に結合される。いくつかの実施形態において、下顎カップ全体は、柔軟性があるが、他の実施形態において、第２の面は、繊維ガラス、ポリカーボネート、ケブラー、プラスチックおよび金属等から形成される剛性外被によって画定される。下顎カップの種々の実施形態は、以下の通りである。
【００９０】
・下顎カップ１００。この下顎カップは、特定の着用者に適するように漸進的に変化する複数サイズの類似の下顎カップから選択される。いくつかの実施形態において、下顎カップは、たとえば、成形を可能にするために加熱される選択的に成形可能な材料から形成される。これは、個別の使用者に合わせたフォーム注入に関連するコストを生じることなく、下顎カップを特定の使用者の顎構造向けにあつらえる整形を可能にする。
【００９１】
・下顎カップ１０１。この下顎カップは、外被２５の内側の相補的なベルクロ領域と係合するためのベルクロ領域１０６を含む。一旦、ベルクロ部分が係合されると、下顎カップ１０１は、意図的な取り外し以外の移動に対して実質的に耐性があることは十分に認識されよう。重要なことは、下顎カップの前方移動および後方移動は、ベルクロ連結によって実質的に抑制される。実際には、下顎カップをフィットさせるために、使用者は、「試行錯誤」手法を実行し、それによって、下顎カップが種々の位置で挿入され、その後、ヘルメットが試着される。続いて、下顎カップが取り外され、異なる位置に置き換えられ、ぴったり合うまでこのプロセスが繰り返される。
【００９２】
・下顎カップ１０２。これは、下顎カップ１０１に類似であるが、ベルクロを用いるのではなく、スナップボタン１０７の形の代替係合構成が用いられる。ボタンを中心にして回転しないようにするために、通常、２つのスナップボタンが、下顎カップの各側に設けられ、スナップボタン受け入れ構成のアレイが、代替のフィッティング位置を提供するために、外被２５に設けられる。
【００９３】
・下顎カップ１０３。この下顎カップは、相補的な歯付きストラップ１０８およびラッチ１０９によって外被２５とつなぎ合わせる。これは、一度でもヘルメットが閉鎖形態で着用されると、ぴったり合うフィット性を都合よく見つけるために、下顎カップを調整経路に沿って摺動可能に移動することを可能にする。そのようなストラップ／ラッチの使用は、下顎カップが調整経路における複数の位置で着脱可能に固締するように係合可能であることを意味し、それによって、第２のフィッティング区域のためにそれぞれの複数の選択可能な位置を提供し、個別の使用者に合わせたフィット性を提供する。示された実施形態において、２つのラッチ１０９は、各側に設けられるが、いくつかの実施形態において、１つのみのラッチが、いずれかの側に設けられる。ラッチが下顎カップに取り付けられることになっている場合には、これらに関してその下顎カップの剛性を有する外面に取り付けられることが好ましいことは十分に認識されよう。
【００９４】
・下顎カップ１０４。この下顎カップは、この場合も相補的な歯付きストラップおよびラッチを利用するが、図２５に示されているように、歯付きストラップ１１０は、ラッチ１１１の影響下で相互に係合する態様である。ラッチ１１１が閉鎖形態にあるとき、ストラップ１１０は、互いに向かう方向にのみ移動可能であり、続いて、ラッチ１１が開放形態にあるときには互いから離れる方向に移動可能であることは十分に認識されよう。
【００９５】
下顎カップの外側または下顎係合のための他の領域とヘルメットの前部の硬いシェルとの中間には少なくとも５ｍｍから２５ｍｍの間隙が維持されることが好ましい。この原理は、ある程度限定されるが、顎の弾性的に対向する方向への動きを可能にし、前部の衝撃による顎の損傷の危険性を低減する。すなわち、顎はヘルメットの硬い外側シェルからの強い抵抗を受ける前に、比較的短い距離を移動することができる。いくつかの実施形態において、この限定された移動により、使用者はあまり苦労せずに話すことが可能となる。実施例は、区域１４が下顎カップ２５９上に設けられる図３８に示されている。この下顎カップは、空洞２６１によって下顎領域の周囲の硬い外被領域２６０から分離される。領域２６０に対する衝撃時には、着用者の下顎１１は、空洞２６１において弾性的に限定された態様で、下顎カップ２５９と共に移動する。
【００９６】
図１から図８を再び参照すると、外被層２５は、ヘルメットの外側を実質的に覆う最も外側の面を画定する。この面は、実質的に剛性であり、耐穿刺性である。通常、この面は、外被２５を形成するために用いられる１つまたは複数の材料によって画定される。本実施形態において、材料は、ケブラーおよびグラファイトの織られてガラス繊維で覆われた混紡である。他の実施形態において、代替の材料が用いられる。たとえば、実施形態において、構造に射出成形が用いられる。材料および構造の課題については、さらに以下にさらに詳細に記載する。
【００９７】
本実施形態におけるヘルメット１は、周知の乗馬用ヘルメットの外見を保持している。すなわち、部分６のサイズおよび球状の形状および部分７の比較的凹部性質のために、ヘルメット１は、周知の乗馬用ヘルメットの一般的な外部幾何形状特性を保持する。これは、競争の催し物において騎手の識別のために予め用いられる肌などへの周知の被覆物の取り付けを可能にするという点で、特に有用である。さらに、適用されると思われる既存の乗馬用ヘルメットの安全性規格とのより近い適合性を本質的に提供する。頬、上顎および下顎に提供されるさらなる保護物が与えられるのであれば、ヘルメット１は、そのような規格を少なくとも間違いなく凌駕することは十分に認識されよう。乗馬用途を目的とした他の実施形態を含めて、いくつかの実施形態において、たとえば、図２１および図２２に示されているように、球状の形状は、より流線形の輪郭と変更される。場合によっては、このより流線形の外観は、より美的に魅力的であると思われる。
【００９８】
外被２５の外面は、実質的に所定の偏向角を提供する。通常、この角度は、３０°から６０°であり、本実施形態において、約４５°である。これは、乗馬行為において、入ってくるひづめからの衝撃をそらすことが望ましい場合に、特に有用であるが、他の用途においても同様に有用である。外被のすべての点で、この偏向特性を正確に提供することが必要ではないが、外被は全体としてこの特性を実質的に提供することは十分に認識されよう。保証または必要とされる偏向保護のレベルは、いくつかの状況では、好みの問題であり、他の状況では、独立の規格によって設定される。
【００９９】
シェル２およびシェル３は、多点固締システム、この実施形態では３点固締システムによって固締するように係合可能である。この固締システムは、３つの個別の構成部材、すなわち背部蝶番組立体２８および２つの側部結合型連結機構２９を必要とする。
【０１００】
蝶番組立体２８は、シェル２をシェル３に蝶着して、ヘルメット形態においてこれらのシェルは、蝶番ピン３０によって画定される軸を中心として相対的に回転する。ヘルメットが閉鎖形態にあるときに、組立体２８は、ヘルメットの面と実質的に輪郭を合わせて形成される。すなわち、組立体２８は、実質的に突出しておらず、ヘルメットの全体的な偏向角に作用しない。さらに、蝶番が突出している場合には、ひづめの衝撃によってジョイントを破壊し、頭部４からヘルメット１が意図せずに外れる危険性がある。
【０１０１】
蝶番組立体２８は、それぞれシェル２およびシェル３と一体に形成されるピン受け入れ構成３１およびピン受け入れ構成３２を含む。これらの構成は、蝶番ピン３０を受け入れるためのそれぞれの同軸に位置決め可能なアパーチャを含む。各ピン受け入れ構成は、図７から図９に最もよく示されるように、それぞれのシェルの隣接する領域に対して実質的に一定の輪郭で延在する。
【０１０２】
さらに正確には、シェル２は、使用時に、シェル３の相補的な構成３２を同軸に挟む２つの構成３１を含む。ピン３０は、蝶着を画定するために、それぞれのアパーチャを通って挿入される。他の実施形態において、構成３１はシェル３に設けられ、構成３２はシェル２に設けられる。
【０１０３】
示された実施形態において、ピン３０は、ピン３０の引き抜きを容易にするために、フィンガ係合のための屈曲端部３４を含む。これは、シェルの完全な分離を促進する。たとえば、事故後に緊急または細心の注意を払って頭部４からヘルメット１を外すことが必要であるような状況において、有用である。特に、脊髄の損傷が疑われる場合には、シェル１およびシェル２の完全な分離によるヘルメット１の取り外しが通常、好ましい。
【０１０４】
使用時には、屈曲端部３４は、外被２５の一般的な外側輪郭が実質的に影響を受けないように、特別に形成される受け入れチャネル３５の中に保持される。いくつかの実施形態において、ピン３０の偶発的な引き抜きの危険性を低減するために、カバー（図示せず）が端部３４に設けられる。場合によっては、このカバーは、一度のみ取り外し可能であり、反復可能ではない。これは、改竄またはピン引き抜きの証拠を提供する。たとえば、ヘルメット１が今後の使用にもはや適していないことを示すために、カバーは、事故後に取り外される。
【０１０５】
いくつかの実施形態において、たとえば、さらに伝統的な蝶着技術が用いられる実施形態において、ピン３０は、簡単には取り外されない。これらの実施形態は、一体に形成され、滑らかな輪郭の蝶番組立体２８を用いて、利点を保つことが好ましい。
【０１０６】
他の実施形態において、代替の背部蝶番組立体は、背部蝶番組立体２８を提供するために代替品として用いられる。いくつかの実施例が、図３０から図３３に示され、さらに以下に記載される。
【０１０７】
図３０は、蝶番組立体１７０を示している。蝶番ピン１７１が、シェル２とシェル３との間の回転軸を画定するために、シェル３の中に設けられる。この蝶番ピンは、ラッチ部材１７２を蝶番ピンシェル３に回転可能に連結する。ラッチ部材１７２は、相補的なキャッチ部材１７４と着脱可能に固締するように係合可能であり、キャッチ部材１７４は、理想的にはシェル２の中に埋め込まれるか、皿穴に埋められる。ラッチ部材１７２は、ヘルメットの開閉を可能にするために、シェル２およびシェル３を確実かつ回転可能に連結するためにキャッチ部材１７４に挿入される。その上、押圧領域１７５が、ラッチ部材を取り外し可能にし、したがって、シェル２がシェル３から分離することを可能にする。領域１７５は、摺動カバー１７６によって任意に覆われる。図１７７は、ラッチ１７２およびキャッチ１７４の実施形態に関して、種々の連結オプションをさらに詳細に示している。示されたキャッチ／ラッチ構成部材は、例示に過ぎず、他の実施形態において、他のキャッチ／ラッチ構成部材が別法として用いられることは十分に認識されよう。それは、いくつかの実施形態において、適切なキャッチ／ラッチ構成部材の選択に適用される重要な考慮事項は、使用中にヘルメット内部にキャッチおよびラッチを保持することができる機能を含むことを意味している。すなわち。ヘルメットの後部は、衝撃を受けて、損傷し、ヘルメットシェル間の連結に不完全性をもたらすキャッチまたはラッチの危険性を低減するために、実質的に滑らかな輪郭である必要がある。
【０１０８】
図３１は、類似の蝶番組立体１８０を示している。組立体１８０も、シェル２の中に蝶番ピン１７１を含むが、この実施形態は、代替のラッチ／キャッチ配置構成としてシェル２の中の相補的な埋め込み式受け入れ取り付け部１８２に挿入するために、蝶形クリップ１８１を利用する。皿穴に埋め込まれるフィンガ係合部分１８３は、取り付け部１８２からクリップ１８１を選択的に手動で開放するために用いられる。
【０１０９】
図３２は、ピンなし蝶番組立体１９０を示している。この実施形態において、蝶番部材１９１は、シェル３から一体に形成される。この蝶番部材１９１は、シェル２上に相補的に一体に形成された蝶番受け入れチャネル１９２の中に挿入可能である。図３２に最もよく示されるように、シェル２およびシェル３が、所定の角度形態に配置されるときに、蝶番部材１９１は、チャネル１９２の中に挿入可能であり、チャネル１９２から取り外し可能である。重要なことは、シェルが相互固締係合状態にあるか、または略相互固締係合状態である場合には、蝶番部材は、取り外し可能ではない。使用時には、蝶番部材は、端部１９８からチャネル１９２の中に摺動可能に挿入される。完全な摺動係合時には、シェルは、ヘルメットを開閉するために、互いに対して回転されることが可能である。蝶番を取り外すためには、ヘルメットが開放され、シェルは、チャネル１９２から蝶番部材１９１の摺動引き出しを可能にするほど十分に回転される。
【０１１０】
図３３は、蝶番組立体２００を示している。組立体２００は、二重蝶番取り外し可能ピン蝶番緊急取り外しシステムを提供する。外観において、組立体２００は、シェル３の中に第１の蝶番ピン２０１を含み、使用時には、この第１の蝶番ピン２０１を中心にしてシェル２が回転可能である。二重蝶番部材２０２は、蝶番ピン２０１でシェル３に回転可能に連結される。この部材２０２は、シェル２における受け入れチャネル２０３の中に挿入され、そのときには、取り外し可能な蝶番２０４が、シェル２におけるアパーチャ２０５、続いて部材２０２を通って挿入可能であり、それによって、蝶番ピン２０１を中心にして回転する形態でシェル２をシェル３に固定する。蝶番２０４で大きな回転はないことは十分に認識されよう。さらに正確に言えば、蝶番２０４は、着用者からのヘルメットの好都合な取り外しを容易にするために、緊急の状況において、任意に取り外される取り外し可能な蝶番である。蝶番２０４は、使用時には凹部２０９の中に保持される屈曲端部２０８を含む。
【０１１１】
図１から図８を再び参照すると、各側の連結機構２９は、シェル２およびシェル３の隣接するコネクタ領域３８の間に選択可能な近接位置を指定する。本実施形態において、蝶着は、近接位置が各側で実質的に等しいことを表す。
【０１１２】
各連結機構２９は、スノーボードのバインディングに関して一般に用いられる機構に似ている。すなわち、各機構２９は、結合ラッチ４０および相補的な波形の結合ストラップ４１を含む。ストラップ４１は、シェルの相対的な蝶着回転時に結合ラッチ４０の中にとどまることができるように、シェル２に対して回転可能に取り付けられる。
【０１１３】
各結合ラッチ４０は、ストラップ４１の可能な経路が一方向である固締形態およびストラップ４１の可能な経路が双方向である非固締形態から移動可能である。ヘルメット１は、各結合ラッチ４０の形態に関係なく、閉鎖形態に移動可能であることは十分に認識されよう。しかし、ヘルメット１を閉鎖形態から変化させるためには、両方のバインディング４０が非固締形態にあることが必要である。これは、ヘルメット１が事故によって脱げる危険性をさらに低減する。
【０１１４】
ヘルメットが閉じられているときには、ストラップ４１は、末尾部分４３を定めるために、結合ラッチ４０を通って進む。末尾部分４３がヘルメット１の内側に受け入れられるように、アパーチャ４８が段状の領域２０に設けられる。トンネル４９は、末尾部分を受け入れて隠すために設けられる。いくつかの実施形態において、トンネルは、後部シェルに取り付けられるが、後部シェルに関係なく形成される内側シェルによって画定される。トンネルが後部シェルと独立である構成のための原理は、構造の問題であり、当業者によって理解されよう。
【０１１５】
記載された固締システムは、決して限定するものと見なすべきではなく、他の実施形態において、代替の固締システムが用いられる。たとえば、いくつかの実施形態において、シェル２およびシェル３は、弾性のばね式固締係合に適合している。他の実施形態において、ヘルメットを閉鎖形態状態に維持するために、タイが用いられる。一実施形態において、３結合型機構が用いられ、第３の結合は蝶番組立体２８の代替である。場合によっては、ラッチ４０およびストラップ４１は、シェルの間で逆転される。当業者は、これらの固締機構および他の代替の固締機構について理解し、容易に実現するであろう。
【０１１６】
シェル２は、シェル３における第２の縁５１と相補的に係合可能な第１の縁５０を含む。縁５０および縁５１は、それぞれの相補的な相互係合配置構成５２および５３を含む。これらは、実質的に縁５０および縁５１の長さに沿って、一般的に言えば、一方の側の段状の領域２０から他方の側の段状の領域２０まで、蝶番組立体２８の位置でわずかなギャップを伴って、延在する。後部シェルに対して前部シェルを実質的に横方向に配置するために、ヘルメットが閉鎖形態にあるときに、構成５２および構成５３は、固締するように係合される。これは、閉鎖形態にあるときに、ヘルメット１の構造的な剛性を増大することは十分に認識されよう。構成５２および構成５３が、それぞれの縁５０および縁５１の断面の輪郭によって画定される。これは、図１０に最もよく示される。
【０１１７】
構成５３は、縁５１にビード付きの周縁リップの形である。構成５２は、ビード付きのリップを受け入れるために、縁５０に沿って凹部周縁チャネルを画定する。この実施形態において、リップは、チャネル内部でばね式固締係合をしていないが、構成部材の緊密な適合性のために、移動は実質的に制限される。一実施形態において、ビード付きのリップは、最大の幅寸法が約７．５ｍｍであり、凹部周縁チャネルは、直径が約９ｍｍであり、深さが約９ｍｍである。リップは、わずかに浅い径である。
【０１１８】
機構２５の代替の位置決めまたは選択は、たとえば、ストラップ４１をシェル２の外側に取り付けることによって、構成５２および構成５３が段状の領域２０を越えて延長することを容易にすることは十分に認識されよう。
【０１１９】
図２０は、ヘルメット１の実施形態を示しており、配置構成１２０が、相補的な取り付け部１２１と係合するため、縁５１に設けられている。構成５２および構成５３の相互係合時に、雄／雌相互固締の組み合わせを画定し、それによって、閉鎖形態にあるときに、ヘルメットに増大した構造的剛性を提供するために、配置構成１２０は取り付け部１２０と係合する。そのような実施形態において、ヘルメット１は通常、取り付け部１２１の対応するペアと係合するための対称に配置された構成１２０のペアを含み、場合によっては、それぞれ複数のペアを含む。図２０はまた、種々の実施形態において用いられる構成１２０および取り付け部１２１に関する３つの代替の形態を示している。これに限定されるわけではないが、構成１２０が縁５０に設けられ、取り付け部１２１が縁５１に設けられる場合を含めて、他の形態がさらなる実施形態において用いられることは理解されよう。
【０１２０】
構成５２および構成５３の変形は、図１８および図１９に示されている構成など他の実施形態において用いられる。これらの実施形態は、構成５２の延長保持部分８９を利用する。図１９は、丸みを帯びた縁を備える三角形の断面を有する構成５３を利用し、構成５２が適合される。さらなる実施例が、図２７から図２９に示されている。
【０１２１】
図２７から図２９は、上記のヘルメット１の構成５２および構成５３を相互係合するための代替の形態を示している。これらの図面のそれぞれは、ヘルメット１などのヘルメットとの関連において、前部シェルおよび後部シェルのための相互固締縁を画定する係合される配置構成の断面を示している。いくつかの場合には、配置構成は、縁の相互固締係合を容易にするために、それぞれの縁の長さに沿ってさまざまな角度をなしていることは十分に認識されよう。
【０１２２】
図２７は、二重相互固締縁を利用する形態を示している。各縁は、雄部分および雌部分を含み、これらは、他の縁の対応する雌部分および雄部分と係合する。この実施例において、各雄部分は、係合時に雌部分の対応する形状の凹部に適合する尖った先端を含む。
【０１２３】
図２８は、二重相互固締縁を提供する別の実施形態を示している。この実施例において、各雄部分は、係合時に雌部分の対応する形状の凹部に適合する湾曲した先端を含む。
【０１２４】
図２９は、二重相互固締縁を提供する別の実施形態を示している。これは、図２７および図２８の実施例に類似であるが、雄部分および雌部分は、縁の相互固締係合時に、適合するような相補的な平面を有する。
【０１２５】
別の相互固締縁配置は、図３７に示されている。図３７において、縁５１は、複数の係合歯２５０を含み、示された実施形態において、係合歯２５０は、波形設計を提供するように滑らかに接合される。相補的な受け入れ構成２５１は、縁５０に設けられる。この手法によって、後部シェルおよび前部シェルは、互いに対してシェル２およびシェル３の回転または摺動を実質的に防止するような態様で、独自に固締されることができる。
【０１２６】
図１から図８を再び参照すると、縁５１に沿ったビーディングと類似のビーディングが、ヘルメット１の他の位置、たとえば、頭部受け入れ開口部５５および目視可能にする開口部５６の周囲で見られる。開口部５６は、比較的高いレベルの周縁目視を提供するためにヘルメットの中心軸を中心にして約２４０°延在する。図１５を参照すると、透明カバー９０が、場合によっては開口部５５にわたって施される。図１５は、複数の通風孔９１を有するバブルカバー９０を示している。この場合には、カバーは、開口部５６を実質的に封止する。しかし、他の場合には、ハーフカバーが用いられる。ハーフカバーは、開口部５５の上部部分にわたって延在する。そのようなハーフカバーは、使用者の眼を保護し、通気を増大することを可能にすることは十分に認識されよう。さらに、視覚に影響を及ぼす結露が低減される。
【０１２７】
開口部５５は、シェル３の下部支持縁５８によって部分的に画定される。下部支持縁５８は、頭部４につながる身体の後部の筋肉領域と係合するように空間状に構成される。さらに、示された縁５８は、周知の保護ベストの相補的な縁に略適合し、いくつかの実施形態において、そのようなベストが結合的に用いられる場合には、使用者の首および後部にさらなる保護を提供するために、さらなるプロテクタ９２がヘルメット１に装着される。図１６に示されているように、たとえば、剛性保護フラップが、リベット９３によってシェル３に蝶着される。このプロテクタ９２は、縁５８に類似したビード付きの縁９４を含む。他の実施形態において、固定して取り付けられるフラップ、首の周りに円筒を提供するプロテクタおよび一体型上体保護スーツをはじめとする代替のプロテクタ５９が用いられる。
【０１２８】
図１１は、ヘルメット１の層状構造をさらに詳細に示している。２つの主要な層、すなわち、外被層２５および内部裏張り層６０がある。裏張り層６０は、フォーム２４および内部裏張り２６を含むが、図１１は、フォーム注入前のヘルメット１を示している。そのような状態において、裏張り２６は、頭部４に滑らかに適合していないことは十分に認識されよう。
【０１２９】
外被２５は、耐衝撃特性および偏向特性を提供し、裏張り層６０は詰め物および３区域フィットを可能とする。
【０１３０】
本実施形態において、内部裏張り２６は、フォーム注入中にフォーム２４を受け入れるための空洞６５を画定するために、外被２５の内面から離隔される。いくつかの実施形態において、追加の層（図示せず）が、空洞６５と外被２５との中間に設けられ、この層は、外被２５に接着される。さらなる実施形態において、追加の層は、注入プロセス中に必要とされるフォーム２４の量を低減するために、予備成形されたフォーム層を含む。これは、たとえば、１５ｍｍの層である。
【０１３１】
ヘルメット１がフォーム注入前に頭部１の上に適合可能にかつ正確に位置決め可能であるようにするために、複数の弾性フォームスペーサ６６が、空洞６５の中に設けられる。この位置決めは、当業者によって理解され、ヘルメット１は使用者が実際にこの位置決めを実現できるように、典型的には取扱説明書を備える。すなわち、ヘルメット１の購入後に、使用者がフォーム注入を行うのである。
【０１３２】
空洞６５の幅は、実施形態によって変化する。通常、２５ｍｍから３５ｍｍの平均幅が、一般的な騎手の保護には適している。幅は、提供される詰め物の量を決定するが、頭部４のサイズもまた役割を担っている。すなわち、所与のヘルメット４に関して、小さめの頭部の場合には多めの詰め物が提供され、大きめの頭部の場合には少なめの詰め物が提供される。いくつかの場合において、広範囲の頭部サイズに適するために、外被２５の異なるサイズが製作され、すべての場合ではないが、詰め物の閾値レベルが定められる。
【０１３３】
裏張り層６０にフォーム注入するために、ヘルメット１は第一に、頭部４の上に配置され、閉鎖形態に固締される。この時点で、効率的な３区域フィッティングが未だに提供されていないのであれば、頭部４の上にヘルメット１をある程度移動することができる。スペーサ６６は、所望の位置でヘルメット１を緩く保持する。急速硬化する液体フォーム２４が、缶６８で提供される。一旦、ヘルメット１が頭部４の適切で快適な位置合わせにおいて位置決めされると、フォーム２４は、シェル２およびシェル３に設けられるアパーチャ６９に挿入される。通常、シェル２に２つのアパーチャがあり、シェル３に１つのアパーチャがある。シェルが別個であるのであれば、空洞６５は、シェル２の第１の部分およびシェル３の第２の部分を含むことは十分に認識されよう。フォームは、空洞６５が充填されるまで連続的に注入される。注入作業では、注入されるフォームの所定の量または溢れが認識されることのいずれかに留意する。フォームは次に硬化して膨張し、余分なフォームは、アパーチャ６９を通って排出される。個別の使用者に合わせた比較的正確なフィット性を提供し、３区域フィッティングシステムを提供するために、硬化フォームは、膨張して押され、頭部４に隣接する領域に対して裏張り２６を保持する。所定の硬化時間経過後、通常は約５分後には、フォームは、ヘルメット１が頭部４から外すことができるほど十分に硬い。余分なフォームは、容易に取り除かれ、アパーチャが塞がれる。当業者は、個別の使用者に合わせたフォーム注入フィッティングに関連する利点を認識するであろう。
【０１３４】
上述したように、消費者は通常、ヘルメット１の購入後に、このフォーム注入プロセスを実行する。他の実施形態において、代替の裏張り６０が設けられ、フォーム注入を必要とせず、これらは通常、購入時に、裏張り層６０にフォーム層を含む。すなわち、これらのヘルメットは、既製品で使用する準備が調っている。フィット性は、フォーム注入に比べると、本質的にあまり理想的ではないが、コスト節約は通常大きい。
【０１３５】
図２６は、シェル２およびシェル３がそれぞれ、それぞれのＥＰＳ裏張り部分２２０および２２１を含む実施形態を示している。ヘルメットの閉鎖時には、これらの裏張り部分は、係合領域２２２で接触する。いくつかの実施形態において、ヘルメットが閉鎖形態にあるときに、裏張り部分の間で改善した固締フィット性を提供するために、裏張り部分２２０および２２１は、それぞれのフィッティング構成、通常、雄／雌のフィッティング構成を含む。図２６は、本発明のいくつかの実施形態において用いられる種々な雄／雌のフィッティング構成を示している。
【０１３６】
本実施形態において、外被２５は、ケブラー／グラファイト織物から形成される。高レベルの強度および比較的軽量であるので、これらの材料は特に適切である。製作プロセスは、シェル２のために分割された成形型およびシェル３の分離成形型を製作することを伴う。いくつかの実施形態において、個別の内部シェルが、トンネル４９を画定するために用いられる場合には、内部シェルはそれ自体の成形型を必要とする。
【０１３７】
成形型はそれぞれ、清浄され離型剤が塗られて、織られたケブラーおよびグラファイト層の層形成プロセスに備える。３相が、分離成形型のシェル２の部分に重ねられ、織物層の間に気泡のないフォームを最もよく確保するために、各層の配置後に樹脂が塗布される。他の部分に関しても同じことが行われる。
【０１３８】
ヘルメットのすべての縁は通常、二重の層状であり、すなわち６層の縁となり、ヘルメットのすべての縁にすぐれた強度を与える。層形成プロセスは、ヘルメットの強度にとって不可欠である、最適な強度を確保するためにすべての成形された縁に特別な注意が払われる。縁で３層から６層まで層を二重にすることは、圧縮のすべての方向において強度を最もよく確保する。
【０１３９】
一実施形態において、約６時間後、樹脂は、外被２５のシェル２部分およびシェル３部分をそれぞれの成形型から分離することを可能にするほど十分に硬化される。他の実施形態において、この時間は、用いられる樹脂に関連して変化することが多い。成形型は次に、清浄され、次の使用のために離型剤が塗布される。
【０１４０】
蝶番組立体２８のシェルに基づく構成部材は、蝶番強度および封じ込めの両方を促進するために、初期の層形成プロセス中に、外被２５のシェル２領域およびシェル３領域の両方の縁に成形される。
【０１４１】
一旦、外被２５が形成されると、側部結合型連結機構２９は、ワッシャおよび合金ポップリベット６７によって装着される。裏張り層６０を設置する前に、これらの機構を試すことが好ましい。
【０１４２】
適切な分割成形型は、繊維ガラスおよび樹脂から形成されるが、処理能力、コストおよび品質などの製作方針に応じて、これらの成形型を構成するために複数の異なるタイプの材料が用いられる。いくつかの成形材料は、低減した摩耗のために、他の材料より多くのシェルが作製できる。
【０１４３】
そのような方法による外被２５の製作は、比較的高価であり時間がかかる。しかし、作製されるヘルメット１の全体的な強度、重量および品質は、すぐれたレベルにある。いくつかの実施形態において、コストおよび時間を節約するために、代替の成形技術が用いられる。注入成形は、典型的な実施例である。外被２５の構造に特によく適した他の材料としては、ポリカーボネートおよび防弾樹脂が挙げられる。防弾樹脂が軍事用途に最も適切であることは十分に認識されよう。
【０１４４】
外被２５の製作が完了され、フォーム注入が用いられる場合は、次のステップは、空洞６５が画定されるように、外被２５に内部裏張り２６を接着して成形することである。ダミーの頭部が、裏張り２６を位置決めするために用いられ、空洞６５を確保し、フィッティングを支援するために、外被２５の内面で約５ヶ所に２５ｍｍのスペーサ６６が施される。次に、ヘルメットは、フィッティング取扱説明書、フォームキャニスタおよびチュービングなどの注入ツールと共に包装され、販売準備がなされる。
【０１４５】
フォーム注入が用いられない実施形態において、通常、種々の頭部サイズに適合するために、種々の裏張り６０を製作することが必要である。これらの裏張りは、外被２５における注入および接着の前に、予め選択された量の弾性フォーム２４またはゴムを含んで形成される。そのようなプロセスは、当業界では周知であり、当業者には理解されよう。
【０１４６】
図１７は、シェル２が、取り外し可能な下顎プロテクタ９５を含む実施形態を示している。これは、フォーム注入が用いられない場合には、プロテクタ９５の代替サイズの製作を可能とし、より正確なフィット性を可能にすることは十分に認識されよう。たとえば、大きめのプロテクタ９５が、より長い顎形態を有する人に提供される。プロテクタ９５は、使用時には、シェル２の受け入れ部分９６に装着される。示された実施形態において、これは、各側でアパーチャ９７を通って延在する３つのリベットによって装着される。他の実施形態において、強力な接着剤などの代替の連結技術が用いられる。
【０１４７】
いくつかの実施形態において、バイザ組立体７０が、通常、シェル２の上でヘルメット１に取り付け可能である。乗馬用途の場合には、このバイザは、ひづめからの衝撃によって実質的に瞬時に脱着するように取り付けられる。これは、偏向特性におけるバイザ７０の影響を緩和する。バイザは通常、外被２５と類似の材料から実質的に形成される。
【０１４８】
図１２の実施形態において、バイザ７０は、小型ビデオカメラ７２を含む。このビデオカメラは、送信器７３に接続され、これらの両方が電源に接続される。カメラ７０は、送信器７３にビデオ映像を提供する連続的に捕捉されたフレーム信号７４を提供する。今度は、送信器７３が、リモートホスト７６に信号７５をワイヤレスによって提供する。
【０１４９】
バイザ７０は、競馬の催し物の「騎手カメラ」の映像を提供する場合に用いられることが好ましい。バイザ７０は、騎手７２のヘルメット１に装着される。
【０１５０】
そのような場合、重量の最小化は一番の関心事である。したがって、比較的軽量の送信器７３（好ましくは３００ｇ未満）が選択される。これは通常、短い伝送範囲を備える。
【０１５１】
図１３の実施形態において、送信器７３の短い伝送範囲を考慮して、複数の離隔されたホスト７６が、競技場７７の周囲に設けられる。送信器７３が信号伝送のために十分に近い位置の中にある場合には、これらのホストのそれぞれは、信号７５を受信する。これらのホストは、カメラによって捕捉された映像に基づいて、連続ビデオ送りを提供するために、信号部分に応答する中央コントローラ７８に受信信号を送信する。これは、騎手カメラ映像を提供するための効率的で軽量のシステムとして認識されよう。通常、複数のバイザ７０が、所与のレースにおいて騎手に与えられる。示された実施形態はすべての馬にカメラがあることを示しているが、カメラの最適数は通常、レースごとに約４個である。ネットワークプログラマは、走行位置および実時間の事象に応じて馬から馬に切り換える。有利なことに、レース中の各騎手がヘルメット１を着用するつもりであれば、バイザ７０は、被写体の騎手７２に対して好適な騎手カメラの選択を容易にする。
【０１５２】
バイザ７０によって獲得された映像は、異議申立の結果の評定など代替の目的のために用いられることは十分に認識されよう。
【０１５３】
他の実施形態において、小型のＧＰＳディスクまたは代替の位置特定デバイスがヘルメット１またはバイザ７０に取り付けられる。ＧＰＳディスクがヘルメット１に取り付けられる場合には、取り外し可能であることが好ましい。ＧＰＳディスクに電力を提供するために、充電式電池が設けられる。
【０１５４】
このディスクは、今度はヘルメットの移動を記録するソフトウェアシステムに衛星を経由して提供される信号を提供する。一例では、これはレースに関する異議申立解決システムを提供するために用いられる。レースにおいて各騎手は、ＧＰＳディスクを有するヘルメット１を着用し、レース全体を通じて、騎手（およびそれぞれの馬）の移動が視覚ディジタル表示に変換される。たとえば、競技場８０が、図１４に示されているように、目盛り付きの格子系８１に写像されて配置される。騎手の経路８２は、この格子では重ねられている。場合によっては、妨害の異議申立が客観的に解決可能であるように、所定の妨害規則もまた、ソフトウェアにプログラムされる。
【０１５５】
たとえば、異議申立が、騎手Ａ、ＢおよびＣの間で持ち出される場合には、システムは、ＧＰＳ位置決め情報に基づいて、これらの騎手およびそれぞれの馬の経路の表示を準備する。騎手Ａ、ＢおよびＣの経路が、図１４上に参照符号８６、８７および８８によってそれぞれ印し付けられる。システムは、目盛り付きの競技場の上に（ｘ）でレースの走行中の妨害地点を識別し、妨害のタイプに関する情報が、妨害地点のそばのスクリーン上に表示される。
【０１５６】
レース中、騎手Ａ、ＢおよびＣのすべてに関する正確なコースの完全な画像を有することは、人為的なエラーの影響を低減すると同時に、異議申立の結果を評定することは十分に認識されよう。
【０１５７】
ＧＰＳ技術はまた、落馬時の騎手の動き、馬の速度、または加速の計算の評定などのさらなる目的のために用いられる。
【０１５８】
ヘルメット１に関する変形は、代替用途のために、またはさらなる利点を提供するために用いられる。たとえば、いくつかの実施形態において、通気孔が作製される。場合によっては、ヘルメットを装着中の聴力を改善するために、通気孔は、耳に近い位置に位置決めされる。場合によっては、通気孔は、フォーム注入プロセスを支援するが、通常は、注入プロセス中、通気孔の内側に保護膜を配置することが好ましい。原理は、フォームが頭部４と直接的に接触することを実質的に防止することである。
【０１５９】
図２１から図２３は、ヘルメット１３０として代替の実施形態を示している。ヘルメット１３０は、ヘルメット１に略類似であるが、異なる設計態様を利用し、ボール状の上部オプションがなく、通気カバー１３１を含むことである。
【０１６０】
通気カバー１３１は、外被２５と固締するように係合可能な取り外し可能な剛性構成部材である。通気カバー１３１は通常、ケブラーまたは繊維ガラスなどの剛性材料から形成されるが、別法としてプラスチックが用いられてもよい。この実施形態において、外被２５は、カバー１３１の固締係合時に、カメラ、ＧＰＳモジュールなどを格納するために任意に用いられうる内部区画を提供する凹部中央部分を含む。本実施形態において、外被２５は、この内部区画とヘルメットの内側との間の気流の連通を可能にするために、複数の通気孔１３４を含む。さらに、カバー１３１は、ヘルメットの移動方向に応じて、入口および出口として作用する複数の通気アパーチャ１３２を含む。これらのアパーチャは通常、気流を最大にするために湾曲されるか、または角度を成している。使用時には、空気は、これらのアパーチャ１３２の前部アパーチャを介して引き込まれ、後部アパーチャを介して排気される。前部アパーチャと後部アパーチャとの中間部では、空気の流れが、外被２５におけるアパーチャを介して使用者の頭部を冷却するように作用する真空／ベンチュリ効果をもたらす。
【０１６１】
本実施形態において、外被２５における中央凹部部分は、カバー１３１の対応する輪郭の縁１３６を受け入れるための周縁取り付け部１３５を含む。したがって、外被２５とカバー１３１の係合時に、カバー１３１は皿穴に埋められる固締縁を含む。いくつかの実施形態において、固締縁は、カバー１３１の周縁全体に続くが、他の実施形態において、この縁は、カバーの好都合な連結／取外しを容易にするために分岐部分を有する。他の実施形態において、代替の固締技術は、ヘルメットの外被に対するカバーの連結を容易にするために用いられる。
【０１６２】
カバー１３１は、ヘルメット１３０に対して二重衝撃領域を提供する。一般的な概念は、カバー１３１に対する物体による激しい衝撃の場合に、外被２５に物体が衝突する前に、カバーはおそらく破損して壊れるであろう。これは、衝突力が外被１３１の作用によって分散され、吸収される程度によって、着用者に対して怪我の危険性を著しく低減すると考えられる。
【０１６３】
図３４および図３５は、従来の顎紐と組み合わせたヘルメット１３１を示している。上記の教示から、３区域フィッティングシステムが与えられる場合には、着用者の頭部にそのようなヘルメットを効果的に保持するためには、顎紐は必要ではないことは認識されよう。特に、ヘルメットは、閉鎖形態にあるときには着用者の頭部から取り外し可能ではない。しかし、いくつかの場合において、以下の理由のいずれかのために従来の顎紐を含むことが好ましい。
・従来の顎紐によく馴染んでいると仮定すると、着用者の信頼性を改善するため。
・特に、下顎カップが着用者の下顎で理想的に位置決めされない場合には、さらに確実なフィット性を提供するため。
・背部蝶番組立体２８の故障時には外れるヘルメットの危険性を低減するため。たとえば、蝶番組立体に対して激しく直接的な衝撃の後に起こりうる。
【０１６４】
図３４および図３５の実施形態はそれぞれ、フィッティングバックルがない状態の顎紐１４０およびフィッティングバックルがある状態の顎紐１４１を示している。概観において、フィッティングバックルが、従来の顎紐と共に一般に用いられる。しかし、図示したような後部入口型ヘルメットにおいて、頭部の挿入を可能にするために、顎紐を緩めるかまたは外す必要は通常ない。
【０１６５】
図３６は、ヘルメット１５０として類似の実施形態を示している。ヘルメット１５０は、消防士などの過酷な環境で働いている人にとっては特に適切である。ヘルメット１５０は、バイザ１５１と、アパーチャ１５３を介して外部源からヘルメットの内側に空気を分配するための１つまたは複数の空気ジャック１５２と、を含む。これは、ヘルメットの内側で正圧を生成し、外部空気が実質的に入り込まないようにする。さらに、この実施形態において、空気を逃すことができるアパーチャは、バイザおよびその周囲に設けられる。これは、ヘルメット全体の冷却循環を生成し、着用者に新鮮な空気を提供することを可能とするのみならず、水分のためにバイザが曇る可能性を低減することも可能とする。２部材外装１５４が、着用者の首の周囲でヘルメットを実質的に封止するために設けられる。この外装は、少なくとも耐熱および耐火材料から形成される消火活動用途向けである。しかし、ゴムまたはネオプレンなどの他の弾性材料を用いてもよい。
任意のバイザ組立体１５５が、ヘルメット１５０に装着可能であり、この組立体は、カメラと、ＧＰＳユニットと、これらの構成部材および他の構成部材に電力を供給するための１つまたは複数の電源を保持する。たとえば、一実施形態において、電子ディスプレイがバイザの上に設けられる。
【０１６６】
ヘルメット１５０の別の特徴は、懸架型フィッティングシステムである。この実施形態において、３区域フィットが、上述した下顎カップと、シェル３のＥＰＳ１５９の領域と、シェル２の懸架式メッシュフィッティング構成１５７とによってもたらされる。フィッティング構成１５７は、着用者の頭部の上部および前部と係合するためのメッシュ１５８を含み、これは通常、種々の頭部サイズのために、個別の使用者に合わせたフィット性を提供するために調整可能である。類似の懸架型フィッティング構成は、建設業界のために構成されるヘルメットにおいて一般的であり、フィッティング構成とヘルメットシェルとの中間に空洞を提供し、シェルにおける弾性の裏張りとは異なり、フィッティング構成における弾力性によって衝撃が対処される。このために、フィッティング構成は通常、ケブラーまたはナイロンなどの材料から形成される。さらなる利点は、頭部上部の空間のために、ヘルメット内部の気流が改善されることである。着用者の頭部とヘルメットシェルとの間の間隙は通常、２５ｍｍから１００ｍｍで維持され、さらに一般的には２５ｍｍから５０ｍｍである。
【０１６７】
ヘルメット１の変形および本願明細書に記載される他のヘルメットが適する他の用途としては、ロッククライミング、スノースポーツ、水中スポーツ、サイクリング、スケートボード、武道および類似の肉体に接触するスポーツ、スカイダイビング、モータレース、娯楽用モータバイク用、軍事目的などが挙げられる。当業者は、これらの用途および他の用途向けに適合性を拡大するため、ヘルメット１に対して行われる種々の変更を認識するであろう。
【０１６８】
本発明の典型的な実施形態の上記の説明において、開示の合理化および種々の発明の態様のうちの１つまたは複数の理解を助けるために、本発明の種々の特徴は、１つの実施形態、図またはその説明において共にグループ化されることがあることは認識すべきである。しかし、開示のこの方法は、本発明が各請求項において明確に記載されるものより多くの特徴を必要とすると解釈すべきではない。さらに正確に言えば、各請求項の態様は、１つの開示された実施形態のすべての特徴より少ない特徴を備える。したがって、詳細な説明に続く請求項は、この詳細な説明に結果として明確に組み込まれ、各請求項は、本発明の個別の実施形態として独立である。
【０１６９】
さらに、本願明細書に記載されるいくつかの実施形態は、他の実施形態に含まれるいくつかの特徴を備え、その他の特徴を備えないが、異なる実施形態の特徴の組み合わせも本発明の範囲内であり、別の実施形態を構成するということは、当業者に理解される。たとえば、本発明の請求項において、記載された実施形態のいずれかは、任意に組み合わせて用いることができる。
【０１７０】
すなわち、本発明の好ましい実施形態を記載しているが、当業者は、本発明の趣旨を逸脱することなく、その他の改変を行ってもよいことを認識し、本発明の範囲内に収まるものとして、すべてのそのような変更および改変も特許請求の範囲であることを意図している。すなわち、本発明は、特定の実施例を参照して記載されているが、本発明がその他の多くの形態において具体化されてもよいことは当業者によって認識されよう。
【図面の簡単な説明】
【０１７１】
【図１】本発明の一実施形態による保護ヘルメットの開放形態の側面図である。
【図２】図１の保護ヘルメットの閉鎖形態を示している。
【図３】閉鎖形態において示される図１のヘルメットの正面図である。
【図４】閉鎖形態において示される図１のヘルメットの下部正面図である。
【図５】開放形態において示される図１のヘルメットの後部／側面図である。
【図６】頭部と共に示される、図１のヘルメットの閉鎖形態の概略断面図である。
【図７】閉鎖形態において示される図１のヘルメットの後面図である。
【図８】開放形態において示される図１のヘルメットの後面図である。
【図９】図８の保護ヘルメットの、２つのシェルに分割された状態を示す部分図である。
【図１０】閉鎖形態において示される図１のヘルメットの縁５０および縁５２の横断面図である。
【図１１】本発明のヘルメットのフォーム注入を概略的に示す断面図である。
【図１２】図１のヘルメットに取り付けるバイザの概略断面図である。
【図１３】競技場の概略図である。
【図１４】ＧＰＳに基づく異議申立システムの概略図である。
【図１５】本発明の別の実施形態のヘルメットの側面図である。
【図１６】本発明の別の実施形態のヘルメットの後面図である。
【図１７】本発明の別の実施形態のヘルメットの側面図である。
【図１８】閉鎖形態において示される本発明の別の実施形態によるヘルメットの縁５０および縁５２の横断面図である。
【図１９】閉鎖形態において示される本発明の別の実施形態によるヘルメットの縁５０および縁５２の横断面図である。
【図２０】本発明のシェルの固締技術およびその種々の別の形態を示している。
【図２１】本発明の別の実施形態によるヘルメットの正面図である。
【図２２】図２１のヘルメットの後面図である。
【図２３】さらに詳細に特徴を示す図２１のヘルメットの斜視図である。
【図２４】下顎カップに加えて、本発明の成形下顎カップを利用する実施形態を示す側面図である。
【図２５】図２４の下顎カップと共に用いるための複数の下顎カップを示す正面図である。
【図２６】本発明のシェルの固締技術およびその種々の別の形態を示す断面図である。
【図２７】本発明のシェルの固締技術の別の連結縁形態を示す断面図である。
【図２８】本発明のシェルの固締技術の別の連結縁形態を示す断面図である。
【図２９】本発明のシェルの固締技術の別の連結縁形態を示す断面図である。
【図３０】本発明のシェルの固締技術の蝶番組立体を示す断面図である。
【図３１】本発明のシェルの固締技術の蝶番組立体を示す断面図である。
【図３２】本発明のシェルの固締技術の蝶番組立体を示す部分概略図である。
【図３３】本発明のシェルの固締技術の蝶番組立体を示す部分概略図である。
【図３４】顎紐を含むヘルメットを示す斜視図である。
【図３５】調整可能な顎紐を含むヘルメットを示す斜視図である。
【図３６】本発明の一実施形態による保護ヘルメットの構成を示す概略図である。
【図３７】本発明のシェルの固締技術を示す斜視図及び部分拡大図である。
【図３８】頭部と共に閉鎖形態において示される本発明のヘルメットの概略断面図である。
【図１】
2009516779.tif 000003
【図２】
2009516779.tif 000004
【図３】
2009516779.tif 000005
【図４】
2009516779.tif 000006
【図５】
2009516779.tif 000007
【図６】
2009516779.tif 000008
【図７】
2009516779.tif 000009
【図８】
2009516779.tif 000010
【図９】
2009516779.tif 000011
【図１０】
2009516779.tif 000012
【図１１】
2009516779.tif 000013
【図１２】
2009516779.tif 000014
【図１３】
2009516779.tif 000015
【図１４】
2009516779.tif 000016
【図１５】
2009516779.tif 000017
【図１６】
2009516779.tif 000018
【図１７】
2009516779.tif 000019
【図１８】
2009516779.tif 000020
【図１９】
2009516779.tif 000021
【図２０】
2009516779.tif 000022
【図２１】
2009516779.tif 000023
【図２２】
2009516779.tif 000024
【図２３】
2009516779.tif 000025
【図２４】
2009516779.tif 000026
【図２５】
2009516779.tif 000027
【図２６】
2009516779.tif 000028
【図２７】
2009516779.tif 000029
【図２８】
2009516779.tif 000030
【図２９】
2009516779.tif 000031
【図３０】
2009516779.tif 000032
【図３１】
2009516779.tif 000033
【図３２】
2009516779.tif 000034
【図３３】
2009516779.tif 000035
【図３４】
2009516779.tif 000036
【図３５】
2009516779.tif 000037
【図３６】
2009516779.tif 000038
【図３７】
2009516779.tif 000039
【図３８】
2009516779.tif 000040
【国際調査報告】
2009516779.tif 000041
2009516779.tif 000042